(57)【特許請求の範囲】
【請求項１】
利用側熱交換器、送風機等を収納する本体フレームと、この本体フレームの前面に取付けられ、正面斜め下側には吹出口が形成され、かつ、この吹出口にはドレンパン及び風向変更羽根を支持する吹出し枠が固定されたキャビネットと、このキャビネットの前面に取付けられる前面パネルとを備えた壁掛型空気調和機において、
前記キャビネットにはそれの上部と下部から略水平に一体的に延びる固定爪をそれぞれ設ける一方、前記本体フレームの上部内面には前記キャビネット上部の固定爪が係止される係止孔を設け、更に、前記吹出し枠には前記キャビネット下部の固定爪が係止される凹部を形成して成り、
前記本体フレームに対して前記キャビネットを前後に水平移動させることにより、前記本体フレームと前記キャビネットとを着脱可能に形成すると共に、前記本体フレームへのキャビネットの装着状態において、前記キャビネットの下部と本体フレームとをビスを介して締着する構成としたことを特徴とする壁掛型空気調和機。
【発明の詳細な説明】
【０００１】
【発明の属する技術分野】
本発明は、本体フレームの前面に着脱自在に取付けられるキャビネットを備えた壁掛型空気調和機に関する。
【０００２】
【従来の技術】
一般に、利用側熱交換器、送風機等を収納する本体フレームと、本体フレームの前面に取付けられるキャビネットと、このキャビネットの前面に取付けられる前面パネルとを備えた壁掛型空気調和機は知られている。
【０００３】
【発明が解決しようとする課題】
この種のものでは、キャビネットは本体フレームに着脱自在に取付けられ、本体フレームに収容される利用側熱交換器、送風機等の点検時には、このキャビネットを取り外してから点検が行われているが、従来の構造によれば、キャビネットを着脱する作業が困難になるという問題がある。
【０００４】
そこで、本発明の目的は、上述した従来技術が有する課題を解消し、キャビネットを簡単に着脱できるようにした壁掛型空気調和機を提供することにある。
【０００５】
【課題を解決するための手段】
請求項１に記載の発明は、利用側熱交換器、送風機等を収納する本体フレームと、この本体フレームの前面に取付けられ、正面斜め下側には吹出口が形成され、かつ、この吹出口にはドレンパン及び風向変更羽根を支持する吹出し枠が固定されたキャビネットと、このキャビネットの前面に取付けられる前面パネルとを備えた壁掛型空気調和機において、前記キャビネットにはそれの上部と下部から略水平に一体的に延びる固定爪をそれぞれ設ける一方、前記本体フレームの上部内面には前記キャビネット上部の固定爪が係止される係止孔を設け、更に、前記吹出し枠には前記キャビネット下部の固定爪が係止される凹部を形成して成り、前記本体フレームに対して前記キャビネットを前後に水平移動させることにより、前記本体フレームと前記キャビネットとを着脱可能に形成すると共に、前記本体フレームへのキャビネットの装着状態において、前記キャビネットの下部と本体フレームとをビスを介して締着する構成としたことを特徴とする。
【０００６】
【０００７】
【発明の実施の形態】
この発明の一実施の形態を添付図面に基づいて説明する。
【０００８】
図１は、一般的な家庭用の空気調和機を示す斜視図である。この種の空気調和機は、室内に配置される壁掛型の利用側ユニットＡと、室外に配置される熱源側ユニットＢとからなり、両者は冷媒管３００によりつながれている。
【０００９】
図２は、図１に示す空気調和機の冷媒回路図である。１はインバータスイッチにより周波数制御されるいわゆるインバータ圧縮機（能力可変型の圧縮機）である。圧縮機の能力可変手段としては他にＤＣモータを用いた場合の電圧制御又は容量可変弁を用いた場合の吐出量制御などがある。このインバータ圧縮機（以下、単に「圧縮機」という。）１から吐出される冷媒の脈動による振動・騒音を抑えるためにマフラー２が設けられる。３は冷房／暖房運転時の冷媒の流れを切り替えるための四方切換弁、４は熱源側熱交換器、５はキャピラリーチューブ、６はスクリーンフィルタ、７は利用側熱交換器、８はマフラー、９はアキュームレータ、１０は電磁開閉弁である。
【００１０】
圧縮機１から吐出される冷媒は、四方切換弁３の切り替わり位置と電磁開閉弁１０の開閉とに応じて実線の矢印（冷房運転）、点線の矢印（暖房運転）、実線中点の矢印（除霜運転）の３つのモードに従い、流れる方向が決まる。
【００１１】
冷房運転時には、図２に実線矢印で示すように、圧縮機１から吐出された冷媒は、マフラー２、四方切換弁３、熱源側熱交換器（室外熱交換器）４、減圧器としてのキャピラリーチューブ５、スクリーンフィルタ６、利用側熱交換器（室外熱交換器）７、マフラー８、四方切換弁３、アキュームレータ９の順序で冷媒回路を循環し、利用側熱交換器７が蒸発器として機能し、キャピラリーチューブ５で減圧される。暖房運転時には、破線の矢印で示すように、圧縮機１から吐出された冷媒は、マフラー２、四方切換弁３、マフラー８、利用側熱交換器（室外熱交換器）７、スクリーンフィルタ６、キャピラリーチューブ５、熱源側熱交換器（室外熱交換器）４、四方切換弁３、アキュームレータ９の順序で冷媒回路を循環し、熱源側熱交換器４が蒸発器として機能して、キャピラリーチューブ５で減圧される。除霜運転時（暖房運転中）には、圧縮機１から吐出される高温の冷媒の一部が、熱源側熱交換器４の温度を上昇させるために、熱源側熱交換器４に直接供給される。これにより、熱源側熱交換器４の温度が上昇し除霜が行われる。尚、この除霜運転が充分に機能しない時（外気温が特に低い時など）には逆サイクル除霜（実線の矢印の流れ）で強制的に除霜が行われる。
【００１２】
図３は利用側ユニットＡの断面図、図４は同じく分解斜視図である。１００は本体フレームを示す。この本体フレーム１００には、制御箱１６と送風機１７とモータ１８と利用側熱交換器７とドレンパン２７と、更には、図３を参照して、空気清浄器１９と縦羽根３１と横羽根３５とが収容されている。
【００１３】
尚、図４を参照して、参照符号１７ａは軸受、１７ｂは軸受カバー、更に、１８ａは本体フレーム１００に固定されるモータブラケットである。
【００１４】
本体フレーム１００の前面には、図３及び図４に示すように、キャビネット１０１とフィルター１０３と前面パネル１０５とが取付けられ、本体フレーム１００の下面には、本体フレーム下部カバー１０７が取付けられている。
【００１５】
本体フレーム１００の上面、キャビネット１０１の正面及び上面、並びに前面パネル１０５には、吸込口４１が形成され、キャビネット１０１の正面斜め下側には吹出口４３が形成されている。この吹出口４３は、図３に示すように、本体フレーム１００の内部の吹出通路４９につながり、この吹出通路４９は、送風機１７からの空気を吹出口４３に案内している。この吹出通路４９は、吹出し枠１０９と、本体フレーム底板１５とにより囲まれている。この実施の形態によれば、上記吹出し枠１０９は、上面にドレンパン２７を支持し、下面に縦羽根３１、横羽根３５からなる風向変更羽根を支持している。
【００１６】
図４を参照して、符号１１０は裏板であり、この裏板１１０は、複数本のビスを用いて壁面に固定される。この裏板１１０の上端には係止体１１０ａが突出し、この係止体１１０ａには、利用側ユニットＡの本体フレーム１００の上縁が引っ掛けられる。この本体フレーム１００は、上縁が引っ掛けられた後、図示を省略した複数本のビスを用いて裏板１１０に固定される。
【００１７】
この実施の形態によれば、図５に示すように、本体フレーム１００には利用側熱交換器７、電装箱１６等が収納される。また、吹出し枠１０９にはこの空気調和機の制御情報を表示する液晶表示器５１が支持され、この液晶表示器５１は表示部５３と本体５５とで構成されている。
【００１８】
本体フレーム１００とキャビネット１０１とを連結する場合には、キャビネット１０１を、図６に示すように、本体フレーム１００側に水平移動させる。この場合には、このキャビネット１０１の周縁部１０１ａが、前記本体フレーム１００の周縁部１００ａに嵌合するまで、キャビネット１０１を水平移動させる。このように水平移動させると、本体フレーム１００内の利用側熱交換器７、電装箱１６等はキャビネット１０１内に収容される。なお、図６において、符号１２０はサッシュグリルである。
【００１９】
このキャビネット１０１の周縁部１０１ａが、前記本体フレーム１００の周縁部１００ａに嵌合する場合には、図６を参照して、キャビネット１０１の上部からほぼ水平に一体的に延びる固定爪１１５が、前記本体フレーム１００の上部内面に進入して、この固定爪１１５は、図３及び図７に示すように、前記本体フレーム１００の係止孔１１７に係止される。
【００２０】
それとともに、図８に示すように、キャビネット１０１の下部からほぼ水平に一体的に延びる固定爪１１９が、前記本体フレーム１００に固定される吹出し枠１０９の凹所１２１に着脱自在に係止される。ここで、この図８に示す固定爪１１９は、図３のＣ部に相当する位置に設けられる。
【００２１】
そして、最後に、キャビネット１０１の下部が、図９に示すように、本体フレーム１００に対して、二本のビス１２３を用いて固定される。
【００２２】
本体フレーム１００からキャビネット１０１を取り外す場合には、二本のビス１２３を外した後に、キャビネット１０１の下部からほぼ水平延びる固定爪１１９を外し、ついで、キャビネット１０１の下部を、図９に示すように、矢印方向に回動させて、キャビネット１０１の上部の固定爪１１５を外す。しかる後、キャビネット１０１を水平方向に引っ張るようにして離脱する。
【００２３】
すなわち、この実施の形態によれば、本体フレーム１００に対してキャビネット１０１を前後に水平移動させることにより、本体フレーム１００とキャビネット１０１とを連結したり、離脱することが可能になる。
【００２４】
これによれば、本体フレーム１００とキャビネット１０１との着脱は、スムーズに行われ、本体フレーム１００に収容される利用側熱交換器７、電装箱１６等の点検時にはこのキャビネット１０１の取り外しが簡単に行われる。
【００２５】
以上、一実施の形態に基づいて本発明を説明したが、本発明は、これに限定されるものでないことは明らかである。
【００２６】
例えば、固定爪１１５，１１９の形状には限定されず、キャビネット１０１を水平移動させることにより、本体フレーム１００とキャビネット１０１とを連結させる時に、自動的にロックがかかるような形状であれば、どのような形状であってもかまわないことは明らかである。
【００２７】
【発明の効果】
以上の説明から明らかなように、この発明によれば、利用側熱交換器、送風機等を収納する本体フレームと、この本体フレームの前面に取付けられ、正面斜め下側には吹出口が形成され、かつ、この吹出口にはドレンパン及び風向変更羽根を支持する吹出し枠が固定されたキャビネットと、このキャビネットの前面に取付けられる前面パネルとを備えた壁掛型空気調和機において、前記キャビネットにはそれの上部と下部から略水平に一体的に延びる固定爪をそれぞれ設ける一方、前記本体フレームの上部内面には前記キャビネット上部の固定爪が係止される係止孔を設け、更に、前記吹出し枠には前記キャビネット下部の固定爪が係止される凹部を形成して成り、前記本体フレームに対して前記キャビネットを前後に水平移動させることにより、前記本体フレームと前記キャビネットとを着脱可能に形成すると共に、前記本体フレームへのキャビネットの装着状態において、前記キャビネットの下部と本体フレームとをビスを介して締着する構成としているので、キャビネット下部に締着するビスの着脱後に、本体フレームに対してキャビネットを前後に水平移動させることにより、本体フレームとキャビネットとを着脱させることが可能であるため、本体フレームとキャビネットとの着脱をスムーズに行うことができ、本体フレームに収容される利用側熱交換器、電装箱等の点検時には、このキャビネットの取り外しが簡単に行われるのは勿論のこと、本体フレームに対してキャビネットの上下両部が係着されるため、キャビネット下部におけるビスの着脱も容易となせる。
【図面の簡単な説明】
【図１】分離型空気調和機を示す斜視図である。
【図２】同じく冷媒回路図である。
【図３】利用側ユニットの断面図である。
【図４】同じく分解斜視図である。
【図５】液晶表示器の取付状態を示す斜視図である。
【図６】本体フレームにキャビネットを取付ける状態を示す斜視図である。
【図７】キャビネットの上部の固定爪を示す断面図である。
【図８】キャビネットの下部の固定爪を示す断面図である。
【図９】本体フレームにキャビネットを取り外す状態を示す斜視図である。
【符号の説明】
７  利用側熱交換器
１７  送風機
２７ ドレンパン
３１ 縦羽根（風向変更羽根）
３５  横羽根（風向変更羽根）
４３ 吹出口
１００  本体フレーム
１０１  キャビネット
１０５  前面パネル
１０９  吹出し枠
１１５，１１９  固定爪
１１７  係止孔
１２１  凹所（凹部）
１２３  ビス
【図１】
0003615328.tif 000002
【図２】
0003615328.tif 000003
【図３】
0003615328.tif 000004
【図４】
0003615328.tif 000005
【図５】
0003615328.tif 000006
【図６】
0003615328.tif 000007
【図７】
0003615328.tif 000008
【図８】
0003615328.tif 000009
【図９】
0003615328.tif 000010